(57)【要約】【課題】電極端子に回転方向の力が作用したときにおける同電極端子とケースとの相対回転を好適に抑えることができる蓄電装置を提供すること。【解決手段】電極端子の極柱部４４は、一端に、ケース１２の蓋体１４の挿通孔１４ｂの開口面積よりも大きい断面積を有する鍔部４３が設けられている。電極端子は挿通孔１４ｂに極柱部４４を挿通した状態でケース１２に設けられている。極柱部４４にナット５５を締結することにより、ナット５５と電極端子の鍔部４３との間に絶縁部材１９と蓋側絶縁板５１とを挟持させた状態で、ケース１２と電極端子とを締結固定する。蓋体１４と絶縁部材１９との接触部分においてナット５５の締結方向に突出して絶縁部材１９に食い込んでいる凸部７０を有する。凸部７０は、その突端に凹部７１を有する。【選択図】図７
2015022918.tif 000002
【特許請求の範囲】
【請求項１】
内部と外部とを連通する挿通孔が形成されたケースと、
極柱部を有し、前記挿通孔に前記極柱部を挿通した状態で前記ケースに設けられた電極端子と、
前記極柱部に締結された締結部材と、
前記締結部材と前記ケースとに挟持された状態で配置されて、前記ケースと前記電極端子との間を絶縁する絶縁部材と、
前記ケースにおける前記絶縁部材との接触部分において前記締結部材の締結方向に突出して、前記絶縁部材に食い込んでいる凸部と、を有する蓄電装置であって、
前記凸部は、その突端に凹部を有することを特徴とする蓄電装置。
【請求項２】
前記凸部及び前記凹部は、前記締結方向において断面多角形状で延びている請求項１に記載の蓄電装置。
【請求項３】
前記凹部は、前記極柱部の外面と交差する方向に延びる溝である請求項１に記載の蓄電装置。
【請求項４】
前記ケースは、前記凸部を複数有する請求項１〜請求項３のいずれか一項に記載の蓄電装置。
【請求項５】
前記極柱部は、その外面に雄ねじを有し、
前記締結部材は、前記ケースとの間に前記絶縁部材の一部を挟持した状態で前記雄ねじに螺合されている請求項１〜請求項４のいずれか一項に記載の蓄電装置。
【請求項６】
前記蓄電装置は二次電池である請求項１〜請求項５のいずれか一項に記載の蓄電装置。
【発明の詳細な説明】
【技術分野】
【０００１】
本発明は、締結部材の電極端子への締結を通じて同電極端子がケースの壁部に締結固定されている蓄電装置に関するものである。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。
【０００３】
二次電池としては、特許文献１に記載のものが知られている。この二次電池の電極端子は、周方向に突出する形状の鍔部が一端に設けられた極柱部を有する。電極端子は、極柱部がケースの挿通孔に挿通した状態で同ケースに設けられている。また、この二次電池は、ケースと電極端子との間を絶縁するための絶縁部材を有する。絶縁部材は、電気絶縁性を有する材料（例えばポリプロピレン）により形成されている。更に、この二次電池は、電極端子をケースに固定するべく極柱部に締結される締結部材を有する。この締結部材の締結を通じて、同締結部材と電極端子の鍔部との間にケース及び絶縁部材が挟持された状態で、電極端子がケースに締結固定されている。
【０００４】
ここで、二次電池では、電極端子がケースに対して相対回転するようなことがあると、ケース内に設けられた電極と電極端子との接続部分の破断を招くなど、種々の不都合を招くおそれがある。
【０００５】
特許文献２に記載の二次電池では、締結部材の締結方向において絶縁部材に向けて突出する形状の凸部をケースが有しており、その凸部が絶縁部材に食い込んだ状態になっている。これにより、ケースと絶縁部材とが係合してそれらの相対回転が抑えられ、ケースと電極端子との相対回転が抑えられている。
【先行技術文献】
【特許文献】
【０００６】
【特許文献１】特開２０００−２１５８８０号公報
【特許文献２】特開２００５−５６６４９号公報
【発明の概要】
【発明が解決しようとする課題】
【０００７】
特許文献２の二次電池では、電極端子の固定を、軸部の先端の外側へのかしめによる為、絶縁部材に大きな回転方向の力は作用しない。一方で、特許文献１の如く、ナットやボルトを螺合させる固定構造は、ケースの凸部にその突出方向と直交する方向の力が作用する構造であるため、凸部の不要な変形を招き易い構造であると云える。そうした凸部の不要な変形は、凸部による回り止め効果の低下を招く一因になるために好ましくない。
【０００８】
この発明は、上記従来技術に存在する問題点に着目してなされたものであり、その目的は、電極端子に回転方向の力が作用したときにおける同電極端子とケースとの相対回転を好適に抑えることができる蓄電装置を提供することにある。
【課題を解決するための手段】
【０００９】
以下、上記課題を達成するための蓄電装置は、内部と外部とを連通する挿通孔が形成されたケースと、極柱部を有し、前記挿通孔に前記極柱部を挿通した状態で前記ケースに設けられた電極端子と、前記極柱部に締結された締結部材と、前記締結部材と前記ケースとに挟持された状態で配置されて、前記ケースと前記電極端子との間を絶縁する絶縁部材と、前記ケースにおける前記絶縁部材との接触部分において前記締結部材の締結方向に突出して、前記絶縁部材に食い込んでいる凸部と、を有する蓄電装置であって、前記凸部は、その突端に凹部を有する。
【００１０】
上記蓄電装置では、絶縁部材における上記ケースの凸部が突き刺さった部分が、同凸部の外面に沿った形状になる。同部分は、詳しくは、ケースの凸部の外面に沿う形状の窪み部と、同ケースの凸部の突端の凹部の内面に沿う形状の突部とを有する形状になる。そのため、電極端子にナットやボルトが螺合される等して同電極端子に回転方向の力が作用したときに、ケースの凸部にその突出方向と交差する方向の力が作用するとはいえ、ケースの凸部の外面と絶縁部材の窪み部の内面とが係合することに加えて、同ケースの凹部と絶縁部材の突部とが係合する。これにより、ケースの凸部の突端に凹部が形成されない蓄電装置と比較して、ケースと絶縁部材とが係合する部分の数が多くなるために、各係合部分に作用する力が小さくなる。そのため、ケースの凸部の不要な変形を抑えることができ、ケースと絶縁部材とを適正に係合させてそれらケース及び絶縁部材の相対回転を好適に抑えることができる。したがって上記蓄電装置によれば、電極端子に回転方向の力が作用したときにおける同電極端子とケースとの相対回転を好適に抑えることができる。
【００１１】
上記蓄電装置において、前記凸部及び前記凹部を、前記締結方向において断面多角形状で延びる形状にすることができる。
上記蓄電装置によれば、上記凹部を有するケースの凸部が単純な形状になるため、同ケースを容易に製造することができる。
【００１２】
上記蓄電装置において、前記凹部を、前記極柱部の外面と交差する方向に延びる溝にすることができる。
上記蓄電装置によれば、ケースの凹部が上記電極端子の極柱部を回転させる力と交差する方向に延びる形状になり、絶縁部材の突部が同溝と係合する形状になる。そのため、ケースの凹部と絶縁部材の突部とが係合する部分を、それらケースと絶縁部材との相対回転を的確に抑えることの可能な方向に延びる形状にできる。
【００１３】
上記蓄電装置において、前記ケースは、前記凸部を複数有することが好ましい。
上記蓄電装置によれば、絶縁部材の組み付け過程において同絶縁部材がケースに対して傾いた状態になることを抑えることができるため、その組付けを容易に行うことができる。
【００１４】
上記蓄電装置において、前記極柱部は、その外面に雄ねじを有し、前記締結部材は、前記ケースとの間に前記絶縁部材の一部を挟持した状態で前記雄ねじに螺合されているといった構成にすることができる。
【００１５】
上記蓄電装置では、締結部材と絶縁部材とが接触しているために、同締結部材を極柱部の雄ねじに螺合させる際に、絶縁部材をケースに対して相対回転させる力が作用してしまう。そして、締結部材の螺合に際して、そうした回転力によってケースと絶縁部材とが相対回転すると、その分だけケースの凸部が絶縁部材に食い込む過程において同凸部の不要な変形を招き易くなる。
【００１６】
上記蓄電装置によれば、ケースと絶縁部材との相対回転を適正に抑えつつ、締結部材を極柱部の雄ねじに螺合することができる。そのため、締結部材の螺合に際してケースの凸部の不要な変形を抑えることができ、これによりケースと電極端子との相対回転を好適に抑えることができる。
【００１７】
上記蓄電装置として、二次電池を採用することができる。
【発明の効果】
【００１８】
本発明によれば、電極端子に回転方向の力が作用したときにおける同電極端子とケースとの相対回転を好適に抑えることができる。
【図面の簡単な説明】
【００１９】
【図１】実施形態の二次電池を示す分解斜視図。
【図２】二次電池の外観を示す斜視図。
【図３】電極組立体の構成要素を示す斜視図。
【図４】電極端子の極柱部周辺を示す断面図。
【図５】（ａ）及び（ｂ）カバーの蓋体の平面図。
【図６】（ａ）及び（ｂ）図５の６−６線に沿ったカバーの蓋体の断面図。
【図７】（ａ）及び（ｂ）蓋体の凸部及びその周辺を示す断面図。
【図８】（ａ）及び（ｂ）他の実施形態の蓋体の平面図。
【図９】（ａ）及び（ｂ）他の実施形態の蓋体の平面図。
【図１０】（ａ）及び（ｂ）他の実施形態の蓋体の底面図。
【発明を実施するための形態】
【００２０】
以下、蓄電装置を二次電池に具体化した一実施形態について説明する。
図１または図２に示すように、二次電池１０において、金属製のケース１２には電極組立体２０が収容されている。ケース１２は、開口部１３ｄを有する直方体状のケース本体１３と、ケース本体１３の開口部１３ｄを閉塞する矩形平板状の蓋体１４とからなる。ケース本体１３と蓋体１４は、何れも金属（例えば、ステンレス鋼やアルミニウム合金）製であり、ケース本体１３と蓋体１４はレーザー溶接によって接合されている。ケース本体１３は、長方形状の底板１３ａと、底板１３ａの対向する一対の短側縁から立設された短側壁１３ｂと、底板１３ａの対向する一対の長側縁から立設された長側壁１３ｃとを備える。蓋体１４は、所定の間隔をあけて並設された一対の挿通孔１４ｂを有し、本実施形態では、蓋体１４がケース１２の壁部を構成している。また、本実施形態の二次電池１０は、その外周が角型をなす角型電池である。また、本実施形態の二次電池１０は、リチウムイオン電池である。
【００２１】
図３に示すように、電極組立体２０は、正極電極２１と負極電極２２とを備えるとともに、正極電極２１と負極電極２２の間を絶縁するセパレータ２３を介在させて層状をなす積層体とされている。正極電極２１は、矩形状の正極用金属箔（本実施形態ではアルミニウム箔）２１ａと、その正極用金属箔２１ａの両面に形成された正極活物質層２１ｂとを有する。負極電極２２は、矩形状の負極用金属箔（本実施形態では銅箔）２２ａと、その負極用金属箔２２ａの両面に形成された負極活物質層２２ｂとを有する。
【００２２】
正極電極２１の一辺方向（長辺方向）の一部には、正極用金属箔２１ａを延出させて形成された正極集電タブ３１が設けられている。正極集電タブ３１は、電極組立体２０を構成する各正極電極２１において同位置に同一形状で形成されている。負極電極２２の一辺方向（長辺方向）の一部には、負極用金属箔２２ａを延出させて形成された負極集電タブ３２が設けられている。負極集電タブ３２は、電極組立体２０を構成する各負極電極２２において同位置に同一形状で形成されている。
【００２３】
電極組立体２０を構成する正極電極２１は、それぞれの正極集電タブ３１が積層方向に沿って列状に配置されるように積層される。同様に、電極組立体２０を構成する負極電極２２は、それぞれの負極集電タブ３２が、正極集電タブ３１と重ならないように積層方向に沿って列状に配置されるように積層される。そして、複数の正極集電タブ３１は、電極組立体２０における積層方向の一端から他端までの範囲に集められる。また、複数の負極集電タブ３２も同様に、電極組立体２０における積層方向の一端から他端までの範囲に集められる。
【００２４】
図１に示すように、電極組立体２０は、正極集電タブ３１を集めてなる正極タブ群４５を備える。この正極タブ群４５はスポット溶接により正極導電部材３３に固定され、少なくとも最外の正極集電タブ３１が、正極導電部材３３に溶接されている。また、電極組立体２０は、負極集電タブ３２を集めてなる負極タブ群４６を備える。この負極タブ群４６はスポット溶接により負極導電部材３７に固定され、少なくとも最外の負極集電タブ３２が負極導電部材３７に溶接されている。
【００２５】
また、図１または図４に示すように、正極導電部材３３及び負極導電部材３７は、四角板状をなす端子接続部３４を有する。端子接続部３４において、後述の電極端子としての正極端子４１または負極端子４２が溶接される面を第１面３４ａとし、第１面３４ａと反対側の面を第２面３４ｂとする。正極導電部材３３及び負極導電部材３７は、第２面３４ｂから第１面３４ａに向けて立ち上がる立上げ部３５を有するとともに、端子接続部３４から離れる方向に向けて立上げ部３５から延びるタブ溶接部３６を有している。なお、このタブ溶接部３６は矩形板状である。
【００２６】
正極導電部材３３の端子接続部３４には正極端子４１が溶接されるとともに、負極導電部材３７の端子接続部３４には負極端子４２が溶接されている。正極端子４１及び負極端子４２は、それぞれ八角板状をなす鍔部４３を有する。この鍔部４３の平面形状は、各端子接続部３４における第１面３４ａの平面形状とほぼ同じである。そして、鍔部４３において、蓋体１４の内面１４ａに対向する面を座面４３ａとするとともに、鍔部４３の厚み方向に座面４３ａと反対側の面を組立体側端面４３ｂとする。
【００２７】
鍔部４３の中央からは円筒状の極柱部４４が立設され、座面４３ａは極柱部４４を取り囲んでいる。極柱部４４は、外周面に雄ねじ４４ａを有するとともに、内周面にねじ溝としての雌ねじ４４ｂを有する。雄ねじ４４ａと雌ねじ４４ｂは逆ねじになっている。
【００２８】
鍔部４３には、合成樹脂（例えば、ポリフェニレンサルファイド［ＰＰＳ］、ポリプロピレン［ＰＰ］）製の端子カバー５０が装着されている。端子カバー５０は、鍔部４３の座面４３ａと蓋体１４の内面１４ａとの間に配置される蓋側絶縁板５１を備える。蓋側絶縁板５１は、極柱部４４が挿入される挿入部５１ａを有し、蓋側絶縁板５１の内周縁は円弧状である。また、蓋側絶縁板５１は、挿入部５１ａを蓋側絶縁板５１の一側方に開口させる切れ込み状の連通部５１ｂを有し、挿入部５１ａと連通部５１ｂによって蓋側絶縁板５１は平面視Ｕ字状となっている。蓋側絶縁板５１は、その内側縁に、連通部５１ｂを挟んで対向し、かつ連通部５１ｂに向けて突出する突部５１ｃを有する。
【００２９】
蓋側絶縁板５１は、その端縁のうち、挿入部５１ａを挟んだ連通部５１ｂと反対側に位置する端縁にケース側絶縁板５２を備え、このケース側絶縁板５２は蓋体１４から離れる方向に向けて延びている。ケース側絶縁板５２は矩形板状であり、蓋側絶縁板５１に対し垂直に延びている。ケース側絶縁板５２において、蓋体１４から離れた側の先端には、組立体側絶縁板５３が蓋側絶縁板５１と同じ方向に向けて、かつ組立体側端面４３ｂに沿って延設されている。ケース側絶縁板５２は矩形板状に形成されている。上記構成の端子カバー５０は、正極端子４１及び負極端子４２に対し、ケース本体１３の短側壁１３ｂ側から装着されている。
【００３０】
蓋側絶縁板５１の挿入部５１ａには極柱部４４が挿入され、蓋側絶縁板５１が極柱部４４のほぼ全周を取り囲んでいる。また、蓋側絶縁板５１は鍔部４３の座面４３ａ上に支持されている。鍔部４３の座面４３ａ上には、Ｏリング５６が極柱部４４を取り囲む状態で設けられている。Ｏリング５６は、蓋側絶縁板５１の挿入部５１ａ内に配置されるとともに、ほぼ全周が蓋側絶縁板５１によって取り囲まれている。組立体側絶縁板５３は、鍔部４３の組立体側端面４３ｂより電極組立体２０側に配置されるとともに、座面４３ａと反対側の組立体側端面４３ｂに沿って延びている。また、組立体側絶縁板５３は、鍔部４３と電極組立体２０との間に介装されている。
【００３１】
そして、端子カバー５０における蓋側絶縁板５１により、蓋体１４と正極端子４１及び負極端子４２が電気的に絶縁されている。また、ケース側絶縁板５２により、ケース本体１３と、正極端子４１及び負極端子４２とが電気的に絶縁されている。さらに、組立体側絶縁板５３により、電極組立体２０と正極端子４１及び負極端子４２とが電気的に絶縁されている。
【００３２】
蓋側絶縁板５１の挿入部５１ａに挿入された極柱部４４は、蓋体１４の挿通孔１４ｂからケース１２の外部に突出（露出）している。そして、正極端子４１及び負極端子４２の鍔部４３は、極柱部４４の両端のうちケース本体１３内側に位置する一端に設けられている。また、鍔部４３は、蓋体１４と平行な断面積が、挿通孔１４ｂの開口面積よりも大きく設定されている。このため、鍔部４３は、ケース本体１３の内側で挿通孔１４ｂから抜け出し不能になっている。蓋体１４の挿通孔１４ｂの内周面と、極柱部４４の外周面とは、絶縁部材１９によって絶縁されている。
【００３３】
絶縁部材１９は、円環状の筒状部２４と、この筒状部２４の軸方向の一端から径方向外方へ延設されたフランジ部２５とを有する。筒状部２４は、挿通孔１４ｂの内周面と、極柱部４４の外周面との間に介装されている。フランジ部２５は、蓋体１４の外面１４ｃにおいて挿通孔１４ｂの周囲に設けられている。
【００３４】
極柱部４４の雄ねじ４４ａにはケース１２の外方から締結部材としてのナット５５が螺合（締結）されて、極柱部４４にナット５５が取着されている。
蓋体１４の外面１４ｃにおける挿通孔１４ｂの周縁とナット５５の蓋体１４側の端面との間には絶縁部材１９のフランジ部２５が挟圧されており、フランジ部２５によってナット５５と蓋体１４が絶縁されている。ナット５５が極柱部４４に螺合されることによって、ナット５５と鍔部４３との間に、フランジ部２５、蓋体１４、Ｏリング５６及び蓋側絶縁板５１が狭圧されるとともに極柱部４４が蓋体１４に締結固定されている。この締結状態では、Ｏリング５６は、圧縮状態で蓋体１４の内面１４ａ及び鍔部４３の座面４３ａに密接し、挿通孔１４ｂの周囲をシールしている。
【００３５】
図１に示すように、二次電池１０同士を電気的に接続するバスバー６０は、矩形板状であり、一対の挿通部６０ａを有する。バスバー６０は、極柱部４４の先端面に支持されている。極柱部４４の雌ねじ４４ｂには、ボルト６１が螺合されている。よって、極柱部４４の雌ねじ４４ｂは、鍔部４３とは反対側の端部に設けられており、この雌ねじ４４ｂには、バスバー６０を極柱部４４に固定するボルト６１が螺合される。ボルト６１は、雌ねじ４４ｂに螺合するボルトねじ部６１ａと、ボルトねじ部６１ａの軸方向一端の頭部６１ｂとを有する。ボルト６１の頭部６１ｂによってバスバー６０が極柱部４４の先端面に押し当てられるとともに、極柱部４４とバスバー６０が導通している。
【００３６】
次に、ケース１２と電極端子（正極端子４１または負極端子４２）との相対回転を抑えるための構造について説明する。
図５（ａ）及び（ｂ）並びに図６（ａ）及び（ｂ）に示すように、ケース１２の蓋体１４は凸部７０を有する。この凸部７０は、蓋体１４の外面１４ｃにおける各挿通孔１４ｂの周縁に設けられており、ナット５５（図４参照）の回転中心Ｌの周囲において等角度間隔で複数（本実施形態では、９０°間隔で４つ）設けられている。各凸部７０はナット５５が螺合される方向（図５の紙面に垂直な方向［締結方向］）において断面四角形状で延びる形状であり、各凸部７０の突端はナット５５の締結方向において窪んだ形状の凹部７１を有している。この凹部７１は、ナット５５の締結方向において断面四角形状で延び、且つ凸部７０の突端に向かうほど断面積が大きくなる形状で延びている。
【００３７】
なお二次電池１０では、絶縁部材１９（図４）のフランジ部２５における上記ケース１２との接触面２５ａが、その組み付け前において凹部を有しない平面形状になっている。
そして本実施形態では、二次電池１０の製造に際して、ナット５５の下面５５ａと電極端子の鍔部４３の座面４３ａとの間に、絶縁部材１９のフランジ部２５とケース１２の蓋体１４における挿通孔１４ｂの周縁と端子カバー５０の蓋側絶縁板５１とを配置した状態で、ナット５５が電極端子の雄ねじ４４ａに螺合される。これにより、ケース１２と電極端子とが締結固定される。
【００３８】
次に、二次電池１０の作用について説明する。
二次電池１０では、電極端子の雄ねじ４４ａにナット５５を螺合してケース１２の蓋体１４と電極端子とを締結固定するときに、ナット５５の下面５５ａと蓋体１４の外面１４ｃとの間で絶縁部材１９のフランジ部２５が挟圧される。このとき蓋体１４の外面１４ｃの凸部７０が、絶縁部材１９のフランジ部２５に押し付けられて突き刺さることにより、同フランジ部２５に食い込んだ状態になる。
【００３９】
図７（ａ）及び（ｂ）に示すように、絶縁部材１９のフランジ部２５における上記蓋体１４の凸部７０が突き刺さった部分は、同凸部７０の外面に沿った形状になる。詳しくは、同部分が、蓋体１４の凸部７０の外面に沿う形状（略直方体形状）の窪み部７２と、同蓋体１４の凸部７０の突端の凹部７１の内面に沿う形状（略四角錐形状）の突部７３とを有する形状になる。そのため、電極端子にナット５５やボルト６１が螺合される等して同電極端子に回転方向の力が作用したときに、蓋体１４の凸部７０にその突出方向と交差する方向（図７の紙面に略垂直な方向）の力が作用するとはいえ、同蓋体１４の凸部７０の外面と絶縁部材１９の窪み部７２の内面とが係合することに加えて、同蓋体１４の凹部７１と絶縁部材１９の突部７３とが係合する。
【００４０】
上記実施形態によれば、以下に記載する効果を得ることができる。
（１）蓋体１４の凸部７０は、その突端に凹部７１を有している。そのため、蓋体１４の凸部７０の外面と絶縁部材１９の窪み部７２の内面とが係合することに加えて、同蓋体１４の凹部７１と絶縁部材１９の突部７３とが係合する。これにより、蓋体１４の凸部７０の突端に凹部７１が形成されない蓄電装置と比較して、蓋体１４と絶縁部材１９とが係合する部分の数が多くなるために、各係合部分に作用する力が小さくなる。そのため、蓋体１４の凸部７０の不要な変形を抑えることができ、蓋体１４と絶縁部材１９とを好適に係合させてそれら蓋体１４及び絶縁部材１９の相対回転を好適に抑えることができる。したがって、電極端子に回転方向の力が作用したときにおける同電極端子とケース１２との相対回転を好適に抑えることができる。
【００４１】
（２）蓋体１４は、各挿通孔１４ｂの周縁に凸部７０を４つずつ有している。これにより、絶縁部材１９の組み付け過程において、絶縁部材１９のフランジ部２５の下面（前記接触面２５ａ）を蓋体１４の凸部７０の突端によってバランス良く支持することができるため、同絶縁部材１９が蓋体１４に対して傾いた状態になることを抑えることができる。そのため、絶縁部材１９の組付けを容易に行うことができる。
【００４２】
（３）二次電池１０では、ナット５５の下面５５ａと絶縁部材１９のフランジ部２５とが接触しているために、同ナット５５を極柱部４４の雄ねじに螺合させる際に、絶縁部材１９を蓋体１４に対して相対回転させる力が作用してしまう。そして、ナット５５の螺合に際して、そうした回転力によって絶縁部材１９が蓋体１４に対して相対回転すると、その分だけ蓋体１４の凸部７０が絶縁部材１９のフランジ部２５に食い込む過程において同凸部７０の不要な変形を招き易くなる。上記二次電池１０では、突端に凹部７１を有する凸部７０が蓋体１４の外面１４ｃに設けられている。そのため、同凸部７０と絶縁部材１９との係合を通じて蓋体１４と絶縁部材１９との相対回転を適正に抑えつつ、ナット５５を極柱部４４の雄ねじに螺合することができる。したがって、そうしたナット５５の螺合に際して蓋体１４の凸部７０の不要な変形を抑えることができ、これによりケース１２と電極端子との相対回転を好適に抑えることができる。
【００４３】
なお、上記実施形態は、以下のように変更して実施してもよい。
○  蓋体１４の凸部７０に設けられる凹部７１の形状は、蓋体１４と絶縁部材１９との相対回転が好適に抑えられる態様で同凹部と絶縁部材１９とが係合するようになる形状であれば、任意の形状に変更してもよい。具体的には、凹部を断面が円形で延びる形状にしたり、四角形以外の多角形（例えば三角形）で延びる形状にしたり、或いは星形で延びる形状にしたりすることができる。
【００４４】
図８（ａ）及び（ｂ）に示すように、凸部８０の突端に、ナット５５の回転中心Ｌと直交する方向に延びる溝を凹部８１として設けることもできる。これにより、蓋体１４の凹部８１が前述した電極端子の極柱部４４を回転させる力と直交する方向に延びる形状になり、絶縁部材１９の突部が同凹部８１と係合する突部になる。そのため蓋体１４の凹部８１と絶縁部材１９の突部とが係合する部分を、極柱部４４を回転させる力と直交する方向、すなわち蓋体１４に対する絶縁部材１９の相対回転を的確に抑えることの可能な方向に延びる形状にすることができる。なお上記凹部８１の延設方向が、ナット５５の回転中心Ｌと直交する方向である二次電池に限らず、極柱部４４の外面と交差する方向になる二次電池であれば、蓋体１４の凹部と絶縁部材１９の突部とが係合する部分が、蓋体１４に対する絶縁部材１９の相対回転を的確に抑えることの可能な方向に延びる形状になる。
【００４５】
○  蓋体１４の凸部７０，８０に代えて、図９（ａ）及び（ｂ）に示すように、断面の外形が円形状で延びる形状の凸部９０を設けてもよい。図９に示す例では、凸部９０の突端に断面円形状で延びる凹部９１を有する。その他、断面の外形が四角形以外の多角形（例えば三角形）で延びる形状の凸部を、蓋体１４の凸部７０，８０に代えて設けてもよい。蓋体１４の凸部の形状は、蓋体１４と絶縁部材１９との相対回転が好適に抑えられる形状であれば、任意の形状に変更することができる。
【００４６】
○  蓋体１４の各挿通孔１４ｂの周縁に、１つ〜３つの凸部を設けたり、５つ以上の凸部を設けたりしてもよい。ケース１２の蓋体１４に設ける凸部の数は任意に変更することができる。
【００４７】
○  蓋体１４の凸部７０，８０，９０の配設位置は、同蓋体１４において上記絶縁部材１９と接触する部分であれば、任意に変更することができる。
○  図１０（ａ）及び（ｂ）に示すように、蓋体１４の内面１４ａにおける絶縁部材としての蓋側絶縁板５１と接触する部分に、ナット５５の締結方向（図１０の紙面に垂直な方向）において蓋側絶縁板５１に向けて突出する形状の凸部１００を設けてもよい。こうした二次電池では、ナット５５の螺合を通じてケース１２に電極端子を締結固定する際に、蓋側絶縁板５１に蓋体１４の凸部１００が突き刺さって食い込んだ状態になる。そして、そのようにして凸部１００が食い込んだ部分は、同凸部１００の外面に沿った形状、詳しくは、蓋体１４の凸部１００の外面に沿う形状の窪み部と、同蓋体１４の凸部１００の突端の凹部１０１の内面に沿う形状の突部とを有する形状になる。そのため、電極端子にナット５５やボルト６１が螺合される等して同電極端子に回転方向の力が作用したときに、蓋体１４の凸部１００にその突出方向と交差する方向の力が作用するとはいえ、同蓋体１４の凸部１００の内面と蓋側絶縁板５１の窪み部の内面とが係合することに加えて、同蓋体１４の凹部１０１と蓋側絶縁板５１の突部とが係合する。これにより、蓋体１４の凸部１００の突端に凹部が形成されない蓄電装置と比較して、蓋体１４と蓋側絶縁板５１とが係合する部分の数が多くなるために、各係合部分に作用する力が小さくなる。そのため、蓋体１４の凸部１００の不要な変形を抑えることができ、蓋体１４と蓋側絶縁板５１との相対回転を好適に抑えることができる。したがって、電極端子に回転方向の力が作用したときにおける同電極端子とケース１２との相対回転を好適に抑えることができる。
【００４８】
○  凸部７０，８０，９０，１００を、蓋体１４の二つの挿通孔１４ｂのうちの一方の周縁のみに設けてもよい。
○  凸部７０，８０，９０，１００を有する蓋体１４は、電極端子をケース１２に締結固定するために、極柱部４４にナット５５を螺合する二次電池１０に限らず、電極端子の極柱部にかしめ部材をかしめ固定する二次電池にも適用することができる。
【００４９】
○  上記実施形態では、ナット５５と鍔部４３との間に、フランジ部２５、蓋体１４、Ｏリング５６及び蓋側絶縁板５１を狭圧する構造としたが、フランジ部２５等が狭圧可能であれば、鍔部４３に代えて、ケース内側にその他の構造を用いてもよい。例えば、極柱部が直接導電部材に溶接されている構造、または、鍔部に代えナットを用いる構造など、公知の構造を用いることも出来る。
【００５０】
○  電極組立体２０を構成する正極電極２１、及び負極電極２２の枚数は適宜変更してもよい。
○  電極組立体２０は、帯状の正極電極２１と負極電極２２との間に帯状のセパレータ２３を介在させて、これらを捲回軸周りに渦捲き状に捲回して構成された捲回型としてもよい。
【００５１】
○  ケース１２の形状は、円柱状や、楕円柱状に形成してもよい。
○  蓄電装置はニッケル水素二次電池や、電気二重層キャパシタとして具体化してもよい。
【符号の説明】
【００５２】
１０…蓄電装置としての二次電池、１２…ケース、１４…蓋体、１４ｂ…挿通孔、１９…絶縁部材、２５…フランジ部、４１…電極端子としての正極端子、４２…電極端子としての負極端子、４３…鍔部、４４…極柱部、４４ａ…雄ねじ、５０…絶縁部材としての端子カバー、５５…締結部材としてのナット、７０，８０，９０，１００…凸部、７１，８１，９１，１０１…凹部、７２…窪み部、７３…突部。
【図１】
2015022918.tif 000003
【図２】
2015022918.tif 000004
【図３】
2015022918.tif 000005
【図４】
2015022918.tif 000006
【図５】
2015022918.tif 000007
【図６】
2015022918.tif 000008
【図７】
2015022918.tif 000009
【図８】
2015022918.tif 000010
【図９】
2015022918.tif 000011
【図１０】
2015022918.tif 000012